(57)【特許請求の範囲】
【請求項１】
爆発薬を収容する円筒状ボディに取付ける信管に、爆発薬を点火させる雷管と、その雷管に衝撃を加える撃鉄と、撃鉄の作動を規制する安全レバーとを備えて成るスタングレネードにおいて、信管の後端側に設けた軸部材に取り付けられるコイルバネの一端に撃鉄が連結され、その撃鉄の上方を覆うように配置される安全レバーの一端側の両端には取付け部が形成され、各取付け部に設けた孔に信管の前端部に設けた軸部材を挿入して、安全レバーの一端を信管に回動自在で、且つ、撃鉄の作動によって離脱しないように連結し、安全レバーの他端側が前記前端部に設けた軸部材を支点に揺動することで、撃鉄がコイルバネにより前記後端側に設けた軸部材を中心に回転して雷管に衝突するようにしたことを特徴とするスタングレネード。
【請求項２】
信管に係合部を設け、その係合部を安全レバーの他端側が円筒状ボディの表面から遠ざかった位置の安全レバーの一端側に係合させるようにしたことを特徴とする請求項１記載のスタングレネード。
【発明の詳細な説明】
【技術分野】
【０００１】
本発明は、暴徒の鎮圧、犯罪行為あるいはテロ行為等の制圧に使用されるスタングレネードに関する。
【背景技術】
【０００２】
従来、スタングレネードは、爆発薬を収容する円筒状ボディに取付ける信管に、爆発薬を点火させる雷管と、その雷管に衝撃を加える撃鉄と、撃鉄の作動を規制する安全レバーとを備え、規制が解除された撃鉄が雷管に衝突することで、雷管の発火により一定時間後に爆発薬を燃焼させ、円筒状ボディの表面に設けた複数の光放出孔から爆発音や閃光を放出させるようになっている。また、特許文献１〜３に記載のように安全レバー（安全クリップ）は、撃鉄の作動によって信管（点火構成部やヘッド部など）から離脱することが知られている。
【特許文献１】特開２００２−１０７０９７号公報
【特許文献２】特表２００１−５０３８４５号公報
【特許文献３】特開平９−１９６６００号公報
【発明の開示】
【発明が解決しようとする課題】
【０００３】
従来のスタングレネードでは、撃鉄の作動の規制を解除した後、一定時間後に爆発薬が着火燃焼するようになっている。ところが、目的の場所の床や地面が傾いていると、特許文献１では、円筒状ボディにより前記一定時間中にスタングレネードが転がってしまい、目的の場所で爆発薬による爆発音や閃光を放出させることができない。そこで、特許文献２のように、円筒状ボディに多角形の端部材を備えたことで、スタングレネードを転がりにくくすることが提案されているが、加工コストが嵩む上にスタングレネード全体が重くなるおそれがあった。また、特許文献３のように、鋼線により安全クリップをヘッド部に固定することで抵抗を生じさせ、スタングレネードを転がりにくくすることが提案されているが、目的の場所が狭い空間であったり突起物がある空間に投擲しなければならない場合には、鋼線が引っかかり、スタングレネードを目的の場所に到達させることができないおそれがあった。
そこで本発明の課題は、上記問題点を解決するもので、簡単な構成で確実に目的の場所で爆発薬を燃焼させるようにしたスタングレネードを提供することを目的とする。
【課題を解決するための手段】
【０００４】
本発明は、爆発薬を収容する円筒状ボディに取付ける信管に、爆発薬を点火させる雷管と、その雷管に衝撃を加える撃鉄と、撃鉄の作動を規制する安全レバーとを備えて成るスタングレネードにおいて、信管の後端側に設けた軸部材に取り付けられるコイルバネの一端に撃鉄が連結され、その撃鉄の上方を覆うように配置される安全レバーの一端側の両端には取付け部が形成され、各取付け部に設けた孔に信管の前端部に設けた軸部材を挿入して、安全レバーの一端を信管に回動自在で、且つ、撃鉄の作動によって離脱しないように連結し、安全レバーの他端側が前記前端部に設けた軸部材を支点に揺動することで、撃鉄がコイルバネにより前記後端側に設けた軸部材を中心に回転して雷管に衝突するようにしたことを特徴とする。更に、信管に係合部を設け、その係合部を安全レバーの他端側が円筒状ボディの表面から遠ざかった位置の安全レバーの一端側に係合させるようにしたことを特徴とする。
【発明の効果】
【０００５】
本発明は、投擲直後に撃鉄の作動により安全レバーが信管から離脱しないために、スタングレネードが床や地面を転がろうとしても数回転で止まることから、確実に目的の場所で爆発薬を燃焼させ爆発音や閃光を放出させることができる。また、従来の円筒状ボディに多角形のものを備えるものに比べて、スタングレネード全体が重くならないので、目的の場所に容易に投擲できる。更に、安全レバーの一端が信管に連結されているので、目的の場所が狭い空間であったり突起部がある空間に投擲した場合でも、確実に目的の場所に到達させることができる。また、信管に係合部を設け、その係合部を安全レバーの他端側が円筒状ボディの表面から遠ざかった位置の安全レバーの一端側に係合させるようにしたので、床や地面に着地したスタングレネードを目的の場所で直ちに止めることができる。
【発明を実施するための最良の形態】
【０００６】
図１に示すスタングレネード１は、爆発薬２を収容する円筒状ボディ３に取付ける信管４に、爆発薬２に着火する雷管５と、その雷管５に衝撃を加える撃鉄６と、撃鉄６の作動を規制する安全レバー７とを備えて成る。前記円筒状ボディ３は、アルミニウム材等から成る円筒状のボディ本体８の下側開口部をキャップ部材９で塞いだものである。ボディ本体８の表面には複数の光放出孔８ａが設けられ、その複数の孔８ａを塞ぐようにボディ本体８の表面は、ポリエステル等の材質で熱収縮性を有する防湿フィルム１０によって覆われている。円筒状ボディ３に爆発薬２（本実施形態では爆音薬）が収容されている。ボディ本体８の上部に形成したネジ部８ｂに信管４の点火構成部１１を螺合し、円筒状ボディ３の上側開口部を塞いでいる。尚、本実施形態では、円筒状ボディ３はボディ本体８の下方をキャップ部材９で塞いだものとしたが、ステンレス製の平織り金網を底面を有する円筒体に成型したものであってもよい。
【０００７】
前記信管４は、点火構成部１１にヘッド部１２が組付けられたものである。ヘッド部１２の後端側に設けた第１軸部材１３にコイルバネ１４が取り付けられている。コイルバネ１４の一端はヘッド部１２に形成した壁部１２ａに当接し、他端は撃針６ａを備えた撃鉄６に連結している。点火構成部１１には衝撃を加えることで発火する雷管５が備えられている。この雷管５の上面に第１軸部材１３を中心に回転する撃鉄６が衝突するように前記コイルバネ１４の他端側の長さは調整されている。雷管５の下方には延期薬１５が配置されている。前記撃鉄６の上方を覆うように金属製の板部材を略Ｌ字状に折り曲げた安全レバー７が配置されている。安全レバー７の一端側７ａの両端には取付け部１６が形成されている。各取付け部１６ａ，１６ｂに設けた孔１７にヘッド部１２の前端部に設けた第２軸部材１８を挿入して、安全レバー７をヘッド部１２（信管４）に回動自在で、且つ、撃鉄６の作動により離脱しないように連結されている。また、安全レバー７の各取付け部１６ａ，１６ｂには、安全レバー７の揺動を規制する規制孔１９が設けられている。その孔１９とヘッド部１２に設けた貫通孔１２ｂとの孔位置を一致させた状態でリング部材２０を備えた安全ピン２１を挿入することで、撃鉄６の作動を規制した安全レバー７の揺動を規制するようになっている。尚、本実施形態では信管４を点火構成部１１とヘッド部１２とから構成したが、ヘッド部１２に雷管５と延期薬１５などを備えたものであってもよい。
【０００８】
次に、上記構成のスタングレネード１の作用について説明する。投擲者により安全レバー７と円筒状ボディ３を把持した状態で安全ピン２１が抜き取られ、目的の場所に向かって投擲されると、安全レバー７による撃鉄６の作動の規制が解除され、撃鉄６の作動によって安全レバー７の他端側７ｂが円筒状ボディ３の表面に近い位置から遠ざかった位置へ第２軸部材１８を支点に揺動すると共に、撃鉄６が雷管５に衝撃が加える。雷管５の発火により延期薬１５に着火され延期薬１５が一定時間燃焼する。延期薬１５の近傍に爆発薬２が配置されているので、延期薬１５が燃焼した後、爆発薬２に着火され爆発薬２が燃焼することで円筒状ボディ３の表面を覆っている防湿フィルム１０を破り複数の光放出孔８ａから爆発音や閃光が放出されるようになっている。この爆発音や閃光によって暴徒の鎮圧、犯罪行為あるいはテロ行為等を制圧することが可能となる。前記延期薬１５が燃焼している間に、目的の場所の床や地面に着地したスタングレネード１は転がろうとするが、安全レバー７が図３（ａ）の状態で着地した場合にはスタングレネード１は数回転で止まり、図３（ｂ）の場合には直ちに止まることになる。また、信管４に係合部２２Ａを設け、その係合部２２Ａを安全レバー７の他端側７ｂが円筒状ボディ３の表面から遠ざかった位置の安全レバー７の一端側７ａに係合させるようにしたことで、目的の場所の床や地面に着地したスタングレネード１を直ちに止めることが確実に行える。
【０００９】
従って、投擲直後に撃鉄６の作動により安全レバー７が信管４（ヘッド部１２）から離脱しないために、スタングレネード１が床や地面を転がろうとしても、安全レバー７が抵抗となり数回転で止まることから、確実に目的の場所で爆発薬２を燃焼させ爆発音や閃光を放出させることが可能となる。また、従来の円筒状ボディに多角形のものを備えるものに比べて、スタングレネード１全体が重くならないので、目的の場所に容易に投擲させることが可能となる。更に、安全レバー７の一端側７ａが信管４（ヘッド部１２）に連結されているので、目的の場所が狭い空間であったり突起部がある空間に投擲した場合でも、確実に目的の場所に到達させることが可能となる。また、使用したスタングレネード１を回収し、再び爆発薬２を収容した円筒状ボディ３に信管４を取付けることで再投擲の準備が速やかに行える。更に、信管４に、安全レバー７の他端側７ｂを円筒状ボディ３の表面から遠ざかった位置に保持するようにした係合部２２Ａを備えることで、目的の場所の床や地面に着地したスタングレネード１を直ちに止めることが可能となる。
【図面の簡単な説明】
【００１０】
【図１】本発明のスタングレネードであって、フィルムの一部を省略した図である。
【図２】スタングレネードの縦断面図である。
【図３】目的の場所に着地した状態を示す図である。
【図４】信管に備えた係合部による安全レバーの保持状態を示す図である。
【符号の説明】
【００１１】
１      スタングレネード
２      爆発薬
３      円筒状ボディ
４      信管
５      雷管
６      撃鉄
７      安全レバー
７ａ    一端
７ｂ    他端
１６    取付け部
１７    孔
１８    第２軸部材
２２Ａ 係合部
【図１】
0005408522.tif 000002
【図２】
0005408522.tif 000003
【図３】
0005408522.tif 000004
【図４】
0005408522.tif 000005